(57)【要約】【課題】本発明は、低コストで施工性の良い柱と梁の接合構造を提供する。【解決手段】梁５を構成する第１の梁主筋６は、対をなして水平方向で平行に離間配置され、第２の梁主筋７は対をなす第１の梁主筋６の間でこれらと平行に複数本が離間配置される。第１の梁主筋６と第２の梁主筋７の組み合わせは、梁５の上端面近傍及び下端面近傍の各々に鉛直軸状で同軸に配置され、梁５の側面近傍に第１の梁主筋６、内方に第２の梁主筋７が位置する。柱１と梁５の接合構造は、梁５の第１の梁主筋６と第２の梁主筋７の柱１の側面に突き合わされる側の端部が、柱１の内方に位置するように配設され柱１のコンクリート４に埋設されて接合されるが、梁５の第１の梁主筋６と第２の梁主筋７とで柱１のコンクリート４への定着長さが異なるように配設され、第１の梁主筋６の端部が第２の梁主筋７と比較して短く、柱１の断面の約中間部程度の長さに配設されている。【選択図】　図１
2004092155.tif 000002
【特許請求の範囲】
【請求項１】
水平方向に平行となるように離間配置される対をなす第１の梁主筋、
及び対をなす該第１の梁主筋の間でこれらと平行となるように複数が離間配置される第２の梁主筋が、
上端面近傍及び下端面近傍の両者に、端部を内方に向けて鉛直方向で同軸となるように備えられる鉄筋コンクリート造の梁と、
鉄筋コンクリート造の柱を備えた構造物の柱と梁の接合構造であって、
前記柱の側面に突き合わされる側の前記梁の第１の梁主筋の端部及び第２の梁主筋の端部が、柱の内方に配設される状態で前記柱を構成するコンクリートに定着されて柱と梁が接合されており、
前記梁を構成する第１の梁主筋及び第２の梁主筋の、前記柱の内方に配される長さが、何れか一方を柱の断面の略全長に達する長さ、他方を柱の断面の略中間部に達する長さとすることを特徴とする柱と梁の接合構造。
【請求項２】
請求項１に記載の柱と梁の接合構造において、
前記梁が、前記梁の対をなす第１の梁主筋の何れか一方とこれと隣り合う第２の梁主筋との離間間隔を、他方の第１の梁主筋とこれと隣り合う第２の梁主筋との離間間隔と比較して小さく形成された上で、第２の梁主筋どうしは所定の間隔をもって離間配置されており、
該梁と平面視で１８０度回転した梁とが、柱を挟んで隣り合うように対をなして同軸上に配置されて、
前記柱の内方には、対をなす梁の第１の梁主筋の端部どうしが向かい合わされて配設されるとともに、
第２の梁主筋の端部どうしが、差し違え配列を形成するように配設されることを特徴とする柱と梁の接合構造。
【請求項３】
請求項１又は２に記載の柱と梁の接合構造において、
第１の梁主筋には、末端部に拡径部が備えられた頭部付き鉄筋が用いられることを特徴とする柱と梁の接合構造。
【発明の詳細な説明】
【０００１】
【発明の属する技術分野】
本発明は、低コストで施工性の良い柱と梁の接合構造に関する。
【０００２】
【従来の技術】
従来より、鉄筋コンクリート造の柱１２及び梁１０は、図５（ａ）に示すように、柱１２の側面に突き合わされる側の梁１０を構成する梁主筋１１の端部が、柱１２の内方に配設された上で柱１２を構成するコンクリート１３に埋設されることにより、両者は接合されている。ここで用いられる前記梁１０の梁主筋１１には、図５（ｂ）に示すように、前記コンクリート１３との定着強度を高めることを目的に、末端部１１ａが折り曲げられたフック鉄筋や、拡径部が設けられた頭部付き鉄筋が用いられている。
【０００３】
【発明が解決しようとする課題】
これら梁１０を構成する梁主筋１１の端部は、柱１２の断面のほぼ全長にわたる長さまで配設される構成であるため、柱１２の配筋が煩雑となりやすい。しかし、前記柱１２の内方に配設される梁主筋１１の長さ、つまり梁主筋１１のコンクリート１３への定着長さを、柱１２の断面のほぼ全長にわたる長さから、柱１２の断面の約半分程度に短くとると、定着部の脆性的な破壊、例えば掻き出し破壊やコーン破壊を誘発しやすいため、梁１０を構成する梁主筋１１すべての定着長さを前記柱１２の断面の約半分程度にとどめて、配筋を簡略化することは困難であった。
【０００４】
上記事情に鑑み、本発明は、低コストで施工性の良い柱と梁の接合構造を提供することを目的としている。
【０００５】
【課題を解決するための手段】
請求項１記載の柱と梁の接合構造は、水平方向に平行となるように離間配置される対をなす第１の梁主筋、及び対をなす該第１の梁主筋の間でこれらと平行となるように複数が離間配置される第２の梁主筋が、上端面近傍及び下端面近傍の両者に、端部を内方に向けて鉛直方向で同軸となるように備えられる鉄筋コンクリート造の梁と、鉄筋コンクリート造の柱を備えた構造物の柱と梁の接合構造であって、前記柱の側面に突き合わされる側の前記梁の第１の梁主筋の端部及び第２の梁主筋の端部が、柱の内方に配設される状態で前記柱を構成するコンクリートに定着されて柱と梁が接合されており、前記梁を構成する第１の梁主筋及び第２の梁主筋の、前記柱の内方に配される長さが、何れか一方を柱の断面の略全長に達する長さ、他方を柱の断面の略中間部に達する長さとすることを特徴としている。
【０００６】
請求項２記載の柱と梁の接合構造は、前記梁が、前記梁の対をなす第１の梁主筋の何れか一方とこれと隣り合う第２の梁主筋との離間間隔を、他方の第１の梁主筋とこれと隣り合う第２の梁主筋との離間間隔と比較して小さく形成された上で、第２の梁主筋どうしは所定の間隔をもって離間配置されており、該梁と平面視で１８０度回転した梁とが、柱を挟んで隣り合うように対をなして同軸上に配置されて、前記柱の内方には、対をなす梁の第１の梁主筋の端部どうしが向かい合わされて配設されるとともに、第２の梁主筋の端部どうしが、差し違え配列を形成するように配設されることを特徴としている。
【０００７】
請求項３記載の柱と梁の接合構造は、第１の梁主筋には、末端部に拡径部が備えられた頭部付き鉄筋が用いられることを特徴としている。
【０００８】
【発明の実施の形態】
以下、本発明の柱と梁の接合構造を図１から図４に示す。本発明は、鉄筋コンクリート造の柱と梁の接合に際し、梁を構成する梁主筋について、側面近傍に配置されている第１の梁主筋と、内方に配置されている第２の梁主筋の何れか一方について、柱の内方に配置される端部の長さを短くするように配設されることにより、鉄筋量を減少させ、配筋を簡略化させるものである。
【０００９】
（第１の実施の形態）
図１に示すように、構造物を構成する柱１は、鉛直軸方向に立設される複数の主筋２と、該主筋２を取り囲むように所定のピッチで配される帯筋３とを籠状に組み立て、コンクリート４を打設した鉄筋コンクリート造により構成される。
また、構造物を構成する梁５は、水平軸方向に配設される第１の梁主筋６及び第２の梁主筋７と、該第１の梁主筋６及び第２の梁主筋７を取り囲むように所定のピッチで配されるあばら筋８を籠状に組み立て、コンクリート９を打設した鉄筋コンクリート造により構成される。該梁５を構成する第１の梁主筋６及び第２の梁主筋７はともに、端部を９０度に折り曲げられたフック鉄筋が用いられており、第１の梁主筋６は、対をなして水平方向で平行に離間配置され、第２の梁主筋７は、対をなす第１の梁主筋６の間でこれらと平行となるように、複数本が所定の間隔をもって離間配置されている。このように配設された該第１の梁主筋６及び第２の梁主筋７の組み合わせは、図１（ｂ）（ｃ）に示すように、前記梁５の上端面近傍及び下端面近傍の各々に、鉛直軸方向で同軸に位置するように配置されている。したがって、前記梁５は平面視すると、図１（ａ）に示すように、側面近傍には第１の梁主筋６、内方には第２の梁主筋７が配置される構成となっている。なお、前記第１の梁主筋６及び第２の梁主筋７ともに、折り曲げられた末端部は、梁５の上端面近傍及び下端面近傍に配された各々で向かい合うように向けられている。
【００１０】
このような構成の前記柱１と梁５の接合構造は、前記梁５を構成する第１の梁主筋６及び第２の梁主筋７の、柱１の側面に突き合わされる側の端部が、柱１の内方に位置するように配設された状態で柱１のコンクリート４に埋設されて、柱１と梁５が接合される。このとき、図１（ａ）に示すように、前記梁５の第１の梁主筋６と第２の梁主筋７とでは、柱１の内方に位置する長さ、つまり柱１のコンクリート４への定着長さが異なるように配設されており、第１の梁主筋６の端部が、第２の梁主筋７と比較して短い構成となっている。本実施の形態では、前記柱１の側方から見ると、図１（ｃ）に示すように、第２の梁主筋７の定着長さは柱１の断面のほぼ全長に至っているものの、第１の梁主筋６の定着長さは、図１（ｂ）に示すように、柱１の断面の約中間部程度にとどまるよう配設されている。
なお、第１の梁主筋６及び第２の梁主筋７のコンクリート４への定着長さは、これに限るものではなく、第１の梁主筋６の定着長さが柱１の断面のほぼ全長にわたり、第２の梁主筋７が柱１の断面の約中間部程度にとどまるよう配設されてもよい。
【００１１】
上述する構成によれば、柱１と梁５の接合構造は、柱１と接合する側の前記梁５を構成する第１の梁主筋６及び第２の梁主筋７の端部を、柱１の内方に配設する際に、第１の梁主筋６は、柱１の断面の約中間部程度にとどまるよう配設する一方で、第２の梁主筋７は、柱１の断面のほぼ全長に至るように配設することから、第１の梁主筋６におけるコンクリート４への定着長さが短くとも、前記柱１と梁５の接合部近傍に脆性的な破壊が生じること防止することが可能となる。
また、第１の梁主筋６は、その端部が柱１の断面の約中間部程度にとどまるよう配設されることから、構造物全体を総じて見ると、鉄筋量を大幅に削減することが可能となり、コスト削減に大きく寄与することが可能となる。
【００１２】
このような構成は、図２（ａ）に示すように、第１の梁主筋６に対してフック鉄筋に代えて、頭部付き鉄筋６ａを用いた場合にも有効である。該頭部付き鉄筋６ａは、直線鉄筋の末端部が拡径されたものであり、これを用いることにより、フック鉄筋と比較して前記コンクリート４への定着強度をより高めることが可能となるものである。また、柱１と梁５の接合構造を側方から見ると、図２（ｂ）に示すように、頭部付き鉄筋６ａが配設されている断面が簡素化されることから、配筋が容易で施工性を向上することが可能となる。
【００１３】
本実施の形態では、例えば構造物の外周部等で見られるような、柱１の向かい合う側面の一方にのみ梁５が接合される場合の柱１と梁５の接合構造を例に挙げて、前記梁５の内方に配置される第２の梁主筋７の、コンクリート４への定着長さを従来と同様の柱１の断面のほぼ全長とし、梁５の側面近傍に配置されている第１の梁主筋６の、コンクリート４への定着長さを柱１の断面の約中間部程度として、第１の梁主筋６と比較して短くとる構成を示した。次に、例えば構造物の内部等で見られるような、柱１の向かい合う側面の両者各々に梁５が接合される場合の、柱１と梁５の接合構造を図３及び図４を用いて詳述する。
【００１４】
（第２の実施の形態）
図３（ａ）に示すように、前記柱１及び梁５、５ａは、第１の実施の形態と同様の鉄筋コンクリート造よりなり、梁５、５ａが、柱１を挟んで隣り合うように、同軸上に対をなして配置されている。これら対をなす梁５、５ａは、第１の実施の形態と同様に、第１の梁主筋６が、対をなして水平方向で平行に離間配置され、第２の梁主筋７は、対をなす第１の梁主筋６の間でこれらと平行となるように、複数本が離間配置されており、これら第１の梁主筋６及び第２の梁主筋７の組み合わせは、前記梁５、５ａの上端面近傍及び下端面近傍の各々に、鉛直軸状で同軸となるように配置されている。また、第１の梁主筋６の端部は、柱１の断面の約中間部程度に配設されるよう長さが確保されている一方で、第２の梁主筋７は、柱１の断面のほぼ全長に至るように配設される長さが確保されている。
しかし、対をなす第１の梁主筋６の間に配された複数の第２の梁主筋７は、何れか一方の第１の梁主筋６と隣り合う第２の梁主筋７との離間間隔Ｌ１を、他方の第１の梁主筋６と隣り合う第２の梁主筋７との離間間隔Ｌ２と比較して小さくとった上で、第２の梁主筋７どうしは所定の間隔をもって離間配置されている。
【００１５】
これら第１の梁主筋６及び第２の梁主筋７が備えられた梁５は、その端部を柱１の一方の側面に突き合わせるとともに、これと向かい合う他方の側面には、前記梁５を平面視で１８０度回転された梁５ａが端部を突き合わされることにより、前記梁５、５ａは、柱１を挟んで隣り合うように対をなして配されることとなる。このような構成は、柱１を挟んで対をなす梁５、５ａの第１の梁主筋６の端部どうしが、図３（ｂ）に示すように向かい合うものの、第２の梁主筋７の端部どうしは、図３（ｃ）に示すように向かい合うことなく所定の距離（離間間隔Ｌ２−離間間隔Ｌ１）をもって常に差し違いに配列されるものである。これにより、前記柱１の内方では、対をなす梁５、５ａの第１の梁主筋６の端部どうしが、向かい合わされるようにして配設されるとともに、第２の梁主筋７の端部どうしは、あき重ね継ぎ手が形成され、これに前記柱１のコンクリート４が打設されることにより、柱１と梁５、５ａは接合されることとなる。
【００１６】
上述する構成によれば、前記柱１の内方では、対をなす梁５の側面近傍に配される第１の梁主筋６の端部どうしが、向かい合わされるようにして配設されるとともに、対をなす梁５の内方に配される第２の梁主筋７の端部どうしは、差し違い配列を形成するようにして配設されることから、対をなす梁５、５ａの第１の梁主筋６の端部どうしを向かい合わさて配筋することにより、第２の梁主筋７どうしはあき重ね継ぎ手が形成されることとなり、柱１を挟んで隣り合う梁５どうしは位置をずらすことなく対向して配置することができるため、配筋作業が容易で施工性が向上するとともに、鉄筋継ぎ手を大幅に削減することが可能であるため、コストを大幅に削減することが可能となる。
【００１７】
また、このような構成は、図４（ａ）に示すように、第１の梁主筋６に対してフック鉄筋に代えて、頭部付き鉄筋６ａを用いた場合にも有効であり、頭部付き鉄筋６ａを用いることにより、図４（ｂ）に示すように柱１と梁５、５ａの接合構造を側方から見ると、頭部付き鉄筋６ａが配設されている断面は簡素化されており、配筋がさらに容易で施工性を向上することが可能となるものである。
【００１８】
【発明の効果】
請求項１記載の柱と梁の接合構造によれば、水平方向に平行となるように離間配置される対をなす第１の梁主筋、及び対をなす該第１の梁主筋の間でこれらと平行となるように複数が離間配置される第２の梁主筋が、上端面近傍及び下端面近傍の両者に、端部を内方に向けて鉛直方向で同軸となるように備えられる鉄筋コンクリート造の梁と、鉄筋コンクリート造の柱を備えた構造物の柱と梁の接合構造であって、前記柱の側面に突き合わされる側の前記梁の第１の梁主筋の端部及び第２の梁主筋の端部が、柱の内方に配設される状態で前記柱を構成するコンクリートに定着されて柱と梁が接合されており、前記梁を構成する第１の梁主筋及び第２の梁主筋の、前記柱の内方に配される長さが、何れか一方を柱の断面の略全長に達する長さ、他方を柱の断面の略中間部に達する長さとすることから、第１の梁主筋及び第２の梁主筋の何れか一方の、コンクリートへの定着長さが短くとも、他方は柱の断面の略全長に達する長さに配されることから、前記柱と梁の接合部近傍に脆性的な破壊が生じること防止することが可能となる。
また、第１の梁主筋及び第２の梁主筋の何れか一方の端部が柱の断面の約中間部程度にとどまるよう配設されることから、構造物全体を総じて見ると、鉄筋量を大幅に削減することが可能となり、コスト削減に大きく寄与することが可能となる。
【００１９】
請求項２記載の柱と梁の接合構造によれば、前記梁が、前記梁の対をなす第１の梁主筋の何れか一方とこれと隣り合う第２の梁主筋との離間間隔を、他方の第１の梁主筋とこれと隣り合う第２の梁主筋との離間間隔と比較して小さく形成された上で、第２の梁主筋どうしは所定の間隔をもって離間配置されており、該梁と平面視で１８０度回転した梁とが、柱を挟んで隣り合うように対をなして同軸上に配置されて、前記柱の内方には、対をなす梁の第１の梁主筋の端部どうしが向かい合わされて配設されるとともに、第２の梁主筋の端部どうしが、差し違え配列を形成するように配設されることから、対をなす梁の第１の梁主筋の端部どうしを向かい合わさて配筋することにより、第２の梁主筋どうしはあき重ね継ぎ手が形成されることとなり、柱を挟んで隣り合う梁どうしは位置をずらすことなく対向して配置することができるため、配筋作業が容易で施工性が向上するとともに、鉄筋継ぎ手を大幅に削減することが可能であるため、コストを大幅に削減することが可能となる。
【００２０】
請求項３記載の柱と梁の接合構造によれば、第１の梁主筋には、末端部に拡径部が備えられた頭部付き鉄筋が用いられることから、フック鉄筋と比較して前記コンクリートへの定着強度をより高めることが可能となるものである。また、柱と梁の接合構造を側方から見ると、頭部付き鉄筋が配設されている断面が簡素化されることから、配筋が容易で施工性を向上することが可能となる。
【図面の簡単な説明】
【図１】本発明の柱と梁の接合構造を示す図である。
【図２】本発明の柱と梁の接合構造の他の事例を示す図である。
【図３】本発明の柱を挟んで対をなす梁が隣り合う場合の柱と梁の接合構造を示す図である。
【図４】本発明の柱を挟んで対をなす梁が隣り合う場合の柱と梁の接合構造の他の事例を示す図である。
【図５】従来の柱と梁の接合構造を示す図である。
【符号の説明】
１　柱
２　主筋
３　帯筋
４　コンクリート
５　梁
５ａ　梁
６　第１の梁主筋
６ａ　頭部付き鉄筋
７　第２の梁主筋
８　あばら筋
９　コンクリート
１０　梁
１１　主筋
１２　柱
１３　コンクリート
【図１】
2004092155.tif 000003
【図２】
2004092155.tif 000004
【図３】
2004092155.tif 000005
【図４】
2004092155.tif 000006
【図５】
2004092155.tif 000007